(57)【要約】【課題】羽根部材がストッパに当接して停止するとき、バウンドが少なく早期に静止し得るようにした低コストなカメラ用羽根駆動機構を提供すること。【解決手段】主地板１は、合成樹脂製であり、一体成形によって羽根室側の面に、中空のストッパ１ｄ，１ｅ，１ｆを形成している。シャッタ羽根６，７は、モータ３によって開閉作動をさせられる。その場合、シャッタ羽根６は、閉じ作動の終了段階でストッパ１ｆに当接し、開き作動の終了段階でストッパ１ｄに当接するようになっており、また、シャッタ羽根７は、開き作動の終了段階でストッパ１ｅに当接するようになっているが、中空のストッパ１ｄ，１ｅ，１ｆは、いずれも弾力性があるため、シャッタ羽根６，７は、当接時にバウンドを好適に抑制され、早期に静止するようになっている。【選択図】  図１
2005024640.tif 000002
【特許請求の範囲】
【請求項１】
両者間に少なくとも一つの羽根室を構成し両者の開口部を重ねて円形の撮影光路用開口を形成している二つの地板と、前記羽根室内において前記二つの地板の何れか一方に取り付けられていて駆動手段によって前記撮影光路用開口から退いている第１位置と該撮影光路用開口に進入した第２位置との間で往復作動させられる少なくとも１枚の羽根部材と、前記二つの地板の一方と合成樹脂による一体成形加工によって弾力性を有する中空軸として形成された少なくとも一つのストッパと、を備えており、少なくとも該ストッパの一つは、該羽根部材が前記第１位置又は前記第２位置でその外周面に当接するように配置されていることを特徴とするカメラ用羽根駆動機構。
【請求項２】
前記駆動手段は、前記羽根室外において前記二つの地板のいずれか一方に取り付けられている往復回転可能なモータであって、該モータは、その出力ピンを該地板に形成された長孔から前記羽根室内に挿入させ、前記少なくとも１枚の羽根部材に形成された長孔に嵌合させており、該羽根部材を前記第１位置から前記第２位置へ駆動するとき、該羽根部材が前記ストッパに当接する直前に、該出力ピンが、前記二つの地板のいずれか一方に取り付けられているばね部材に接触して、制動されることを特徴とする請求項１に記載のカメラ用羽根駆動機構。
【発明の詳細な説明】
【０００１】
【発明の属する技術分野】
本発明は、シャッタ羽根や絞り羽根などの羽根部材を、好適に停止させることができるようにしたカメラ用羽根駆動機構に関する。
【０００２】
【従来の技術】
カメラ用レンズシャッタは、シャッタ羽根が撮影レンズの近接位置に配置されていて、円形の撮影光路用開口を開閉するように構成されていたが、最近では、２枚のシャッタ羽根が、ばねやモータを駆動源として、同時に相反する方向へ回転させられる構成のものが一般的となっている。そして、このようなレンズシャッタは、銀塩カメラにもデジタルスチルカメラにも採用されている。しかしながら、中には、１枚のシャッタ羽根が、その往復回転によって撮影光路用開口を開閉するようにしたものもあるし、２枚のシャッタ羽根が、撮影光路用開口を間にして相反する方向へ直線的に往復運動をし、該開口を開閉するようにしたものもある。
【０００３】
他方、絞り機構は、銀塩カメラやデジタルスチルカメラに採用されているほか、ビデオカメラにも採用されている。そして、主に、レンズシャッタを備えたデジタルスチルカメラに採用されるものとして、１枚の絞り羽根が撮影光路用開口よりも小さい直径の開口部を有していて、モータによって往復回転させられ、その開口部を、撮影光路用開口に進退させるようにしたものが知られている。また、絞り機構と同様に、被写体光の光量を減じる目的で、ＮＤフィルタで開口部を覆った羽根部材を用意し、その羽根部材をモータによって往復回転させ、ＮＤフィルタを撮影光路用開口に進退させるようにしたフィルタ機構も知られている。
【０００４】
また、レンズシャッタを製作する場合、上記の各種シャッタ羽根は、通常、二つの地板の間に構成された羽根室内に配置される。また、絞り機構やフィルタ機構を製作する場合にも、上記の絞り羽根や、フィルタを取り付けた羽根部材は、通常、二つの地板の間に構成された羽根室内に配置される。ところが、これらのシャッタ機構，絞り機構，フィルタ機構は、個々のユニットとして製作されるだけではなく、それらの二つ以上をまとめて一つのユニットとして製作されることもある。そして、その場合には、二つの地板の間を仕切って二つ以上の羽根室を構成し、それらの羽根部材を夫々の羽根室に配置するのが普通である（例えば、特許文献１参照）。
【０００５】
【特許文献１】
特開２００２−１３９７６５号公報（第３頁、図１及び図２）
【０００６】
また、上記した各種の羽根部材は、その作動終了時に、ストッパによって停止させられる。その場合、羽根部材と連結している駆動手段の一部をストッパに当接させるようにすると、羽根部材が薄くて且つ駆動手段との連結部に公差があることと、その連結部が羽根部材の長さ方向の一端近傍部にあることから、ストッパに当接したとき、羽根部材がその衝撃で大きく暴れ、静止するまでの時間が長くかかってしまうことになる。そこで、羽根部材の作動を停止させるためには、駆動部材の一部をストッパに当接させてもさせなくても、特許文献１にも記載されているように、羽根部材自身をストッパに当接させるのが普通となっている。本発明は、上記した各種の羽根自身をストッパに当接させて停止させるようにしたカメラ用羽根駆動機構に関するものである。
【０００７】
【発明が解決しようとする課題】
周知のように、銀塩カメラに採用されるレンズシャッタ機構は、短い露光時間が得られるようにするためと、画面の中央と周辺との露光むらを少なくするために、シャッタ羽根の開き作動と閉じ作動は、高速で行なわれることが好ましい。また、デジタルスチルカメラに採用されるレンズシャッタ機構は、シャッタ羽根の開き作動はともかくとして、閉じ作動は、スミア現象の発生を抑制するために、高速で行なわれることが好ましい。そのため、いずれの場合でも、少なくとも、シャッタ羽根の閉じ作動は、高速で行われることが好ましいことになる。
【０００８】
また、絞り機構やフィルタ機構は、小さい絞り開口での撮影やフィルタを用いての撮影を行なう場合、夫々の羽根部材を、レリーズ後であって撮影のための露光が開始する前に、撮影光路用開口に進入させ、停止させなければならない。そのため、出来るだけシャッタチャンスを逸しないようにするためには、それらの羽根部材の作動は高速で行なわれることが好ましい。このようなことから、シャッタ機構，絞り機構，フィルタ機構に用いられる各羽根部材は、撮影時には、撮影光路用開口から退いている位置から撮影光路用開口に進入した位置への作動を高速で行うことが要求されている。
【０００９】
しかしながら、そのような作動を高速で行なうと、上記したストッパに当接したときに生じるバウンドが大きくなってしまう。そのため、シャッタ機構の場合には、正規の露光作動が好適に行なわれ、撮影光路用開口が閉鎖したにもかかわらず、再露光が行なわれてしまうことになる。また、絞り機構やフィルタ機構の場合には、羽根部材が、撮影光路用開口へ進入した位置で最初にストッパに当接してから静止するまでの時間が長くなり、結局は、カメラのレリーズが行なわれてから撮影のための露光が開始されるまでの時間を短くすることができず、シャッタチャンスを逸してしまうことになる。
【００１０】
本発明は、このような問題点を解決するためになされたものであり、その目的とするところは、撮影光路用開口に進退する羽根部材が、少なくとも、撮影光路用開口に進入した位置でストッパに当接したとき、バウンドを抑制し早期に静止するようにしたコスト的に有利なカメラ用羽根駆動機構を提供することである。
【００１１】
【課題を解決するための手段】
上記の目的を達成するために、本発明のカメラ用羽根駆動機構は、両者間に少なくとも一つの羽根室を構成し両者の開口部を重ねて円形の撮影光路用開口を形成している二つの地板と、前記羽根室内において前記二つの地板の何れか一方に取り付けられていて駆動手段によって前記撮影光路用開口から退いている第１位置と該撮影光路用開口に進入した第２位置との間で往復作動させられる少なくとも１枚の羽根部材と、前記二つの地板の一方と合成樹脂による一体成形加工によって弾力性を有する中空軸として形成された少なくとも一つのストッパと、を備えており、少なくとも該ストッパの一つは、該羽根部材が前記第１位置又は前記第２位置でその外周面に当接するように配置されているようにする。
【００１２】
その場合、前記駆動手段が、前記羽根室外において前記二つの地板のいずれか一方に取り付けられている往復回転可能なモータであって、該モータは、その出力ピンを該地板に形成された長孔から前記羽根室内に挿入させ、前記少なくとも１枚の羽根部材に形成された長孔に嵌合させており、該羽根部材を前記第１位置から前記第２位置へ駆動するとき、該羽根部材が前記ストッパに当接する直前に、該出力ピンが、前記二つの地板のいずれか一方に取り付けられているばね部材に接触して、制動されるようにすると、一層好適にバウンド抑制されるようになる。
【００１３】
【発明の実施の形態】
本発明の実施の形態を、図示した二つの実施例によって説明する。また、第１実施例のシャッタ機構と第２実施例の絞り機構は、いずれも、銀塩カメラにもデジタルスチルカメラにも採用することが可能であるが、説明の便宜上、いずれも、デジタルスチルカメラに採用した場合で説明する。尚、図１〜図４は、第１実施例を説明するためのものであり、図５及び図６は、第２実施例を説明するためのものである。
【００１４】
［第１実施例］
図１〜図４を用いて第１実施例のシャッタ機構を説明する。図１は、シャッタ羽根が撮影光路用開口を全開にしている状態を示した平面図であり、図２は、図１の一部を断面し都合よく展開させて示した断面図であり、図３は、シャッタ羽根が撮影光路用開口を閉鎖した直後の作動中の状態を示した平面図であり、図４は、シャッタ羽根が撮影光路用開口を閉鎖した後、ストッパに当接して停止した状態を示した平面図である。また、上記したように、本実施例は、デジタルスチルカメラに採用されている場合で説明する。そのため、カメラ内では、シャッタ機構を、図１の手前側が被写体側となるようにして配置することも、背面側が被写体側となるようにして配置することも可能であるが、便宜上、手前側が被写体側となるようにして配置した場合で説明する。
【００１５】
そこで先ず、図１及び図２を用いて、本実施例の構成を説明する。本実施例は、被写体側に配置された主地板１と固体撮像素子側に配置された補助地板２とが、図示していない手段によって相互に取り付けられ、それらの間に羽根室を構成している。これらの地板１，２は、何れも合成樹脂製であって、外形は同じであり、それらの略中央部に形成された円形の開口部１ａ，２ａも直径が同じであるが、図１においては、主地板１の一部を切断して示してある。従って、本実施例の場合には、開口部１ａ，２ａの両方が、撮影光路用開口（最大口径）を規制していることになる。
【００１６】
主地板１の被写体側の面には、モータ３が、二つのビス４，５によって取り付けられている。このモータ３は、ムービングマグネット型モータなどと称されている電流制御式のモータであって、固定子コイルに対する通電方向に対応して、永久磁石製の回転子が、所定の角度範囲内でだけ往復回転するモータである。そこで、周知ではあるが、このモータ３の構成を、主に図２を用いて説明する。
【００１７】
モータ３の固定子は、第１固定子枠３ａと、第２固定子枠３ｂと、コイル３ｃと、ヨーク３ｄとで構成されていて、上記のように、ビス４，５が第２固定子枠３ｂを主地板１に取り付けている。そのうち、第１固定子枠３ａはコップ状をしていて、その開放端を第２固定子枠３ｂで塞ぎ、その両者にコイル３ｃを巻回した後、第１固定子枠３ａに、円筒形をしたヨーク３ｄを嵌合させている。そして、第１固定子枠３ａには、鉄ピンとも称されることのある磁性体棒３ｅ（図１参照）が埋設されている。
【００１８】
モータ３の回転子３ｆは、第１固定子枠３ａに収容され、第１固定子枠３ａと第２固定子枠３ｂによって軸受けされている。この回転子３ｆは、永久磁石製の回転子であるが、回転軸が合成樹脂製となっていて、その径方向位置には、回転軸と平行に出力ピン３ｇが形成されている。そして、その出力ピン３ｇは、図２から分かるように、第２固定子枠３ｂ，主地板１，補助地板２に形成されている円弧状の長孔を貫通し、その先端を補助地板２の背面側（固体撮像素子側）に突き出している。また、円筒形をした永久磁石は、径方向に２極に着磁されており、図１においては、その磁極の境界を一点鎖線で示してある。
【００１９】
主地板１の羽根室側の面には、一体成形で、二つの軸１ｂ，１ｃと三つのストッパ１ｄ，１ｅ，１ｆが設けられている。そして、軸１ｂ，１ｃには、シャッタ羽根６，７が回転可能に取り付けられており、シャッタ羽根６，７に形成されている周知の長孔には、その両方に上記の出力ピン３ｇが嵌合している。また、ストッパ１ｄ，１ｅ，１ｆは、いずれも中空軸となっており、径方向へ弾力性が付与されていて、ストッパ１ｄにはシャッタ羽根６が、ストッパ１ｅにはシャッタ羽根７が、ストッパ１ｆにはシャッタ羽根６が当接するようになっている。補助地板２の背面側（固体撮像素子側）の面には、一体成形で、三つの軸２ｂ，２ｃ，２ｄが設けられている。そして、軸２ｂには、ばね８が巻回されており、その一端を軸２ｃに掛け、他端を軸２ｄに掛けている。
【００２０】
次に、本実施例の作動を説明する。図１は本実施例の初期状態を示している。即ち、このデジタルスチルカメラはノーマリーオープンタイプであって、この初期状態においては、電源がオンとなっており、シャッタ羽根６，７は撮影光路用開口を全開にしている。そのため、固体撮像素子は被写体光にさらされており、被写体像をモニターで観察可能となっている。また、このとき、モータ３のコイル３ｃには通電されていないが、周知のように、回転子３ｆの磁極の境界線（一点鎖線）の下端が磁性体棒３ｅの右側に位置しているため、回転子３ｆと磁性体棒３ｅとの間に作用する磁気吸引力によって、モータ３の回転子３ｆには反時計方向へ回転する力が付与されている。そのため、シャッタ羽根６，７は、出力ピン３ｇによって相反する方向へ回転する力が与えられ、ストッパ１ｄ，１ｅに対する接触状態を維持されている。
【００２１】
撮影に際してレリーズボタンを押すと、絞り機構やフィルタ機構を備えたカメラの場合には、先ず、被写体光の測定結果に基づいて、被写体光の光量を減じて撮影するか、減じないで撮影するかが決定される。そして、被写体光の光量を減じて撮影することになった場合には、絞り羽根や、フィルタを取り付けた羽根部材を、撮影光路用開口へ進入させ、停止させる。その後、露光制御回路からの信号によって固体撮像素子に蓄積されていた電荷が放出され、撮影のための露光が開始する。
【００２２】
このようにして、撮影のための露光が開始してから所定の時間が経過すると、露光制御回路からの信号によってモータ３のコイル３ｃに通電され、回転子３ｆが時計方向へ回転させられる。そのため、シャッタ羽根６，７は相反する方向へ回転し、撮影光路用開口に高速で進入していく。そして、撮影光路用開口を閉鎖した直後であって、未だ高速で作動している状態が図３に示されている。また、この状態は、モータ３の出力ピン３ｇが、ばね８に接触した瞬間の状態でもある。そのため、この後は、回転子３ｆの回転（即ち、シャッタ羽根６，７の閉じ作動）は、ばね８の付勢力によって制動され、減速させられる。
【００２３】
その後、シャッタ羽根６，７は、シャッタ羽根６がストッパ１ｆに当接して停止するが、このとき、ストッパ１ｆは中空軸として形成されているので、シャッタ羽根６が当接したとき一時的に変形させられてから、自己の弾性によって原形に復帰する。このように、本実施例の場合は、ストッパ１ｆが緩衝機能を有しているため、大きくバウンドせず早期に静止する。また、本実施例の場合には、ばね８が制動作用を及ぼしているので、早期に静止させることが一層効果的に行なわれるようになっている。図４は、そのようにしてシャッタ羽根６，７が停止した状態を示したものである。
【００２４】
尚、本実施例のように、２枚のシャッタ羽根を相反する方向へ回転させて撮影光路用開口を開閉するシャッタ機構において、シャッタ羽根の一方だけをストッパに当接させるだけで、両方が好適に停止する理由は周知である。そのため、その説明を省略するが、本実施例のストッパ１ｆの形状を大きくしたり、配置位置を変えたりして、シャッタ羽根６，７の両方をそのストッパに当接させるようにしてもよいし、主地板１にもう一つの中空のストッパを形成し、そこに、シャッタ羽根７を当接させるようにしても差し支えない。
【００２５】
また、図４の状態が得られた後、コイル３ｃへの通電を続けてもよいが、通電を断っても、この状態が維持されるようにすることも可能である。その理由は、このとき、回転子３ｆの磁極の境界線（一点鎖線）の下端が磁性体棒３ｅの左側に位置しているため、回転子３ｆと磁性体棒３ｅとの間に作用する磁気吸引力によって、モータ３の回転子３ｆには時計方向へ回転する力が付与されていて、シャッタ羽根６にはストッパ１ｆに押しつけられる力が作用しているからである。但し、本実施例のように、ばね８を備えている場合には、上記の磁気吸引力が、ばね８の付勢力よりも大きくなくてはならないことは言うまでもない。
【００２６】
このようにして、撮影光路用開口が閉鎖すると、その状態において撮像情報が記憶装置に転送された後、モータ３のコイル３ｃに対して、上記の場合とは逆方向へ通電される。そのため、回転子３ｆは反時計方向へ回転させられて、シャッタ羽根６，７に開き作動を行わせるが、図３の状態になると、ばね８が軸１ｃに掛けられ、その直後からは撮影光路用開口が開放されていく。そして、シャッタ羽根６，７は、撮影光路用開口を全開にした後、ストッパ１ｄ，１ｅに当接して停止するが、ストッパ１ｄ，１ｅは中空形状をしているので、大きくバウンドせず、早期に静止する。その直後に、コイル３ｃに対する通電が断たれると、図１の初期状態に復帰したことになる。
【００２７】
このように、本実施例は、デジタルスチルカメラに採用された場合で説明してきたが、ここで、銀塩カメラに採用された場合について簡単に説明をしておく。その場合には、図４に示された状態が初期状態となる。そして、絞り機構を備えたカメラの場合は、被写体光の明るさに応じて絞り羽根を作動させておいてから、シャッタ羽根６，７に開閉作動を行わせることになるが、その開き作動を終了した状態が図１に示された状態であり、その後、閉じ作動の終了した状態が図４に示された状態となる。従って、シャッタ羽根６，７を高速で作動させても、全開時と閉鎖時に大きなバウンドが生じず、露光むらが抑制される。
【００２８】
尚、周知のように、銀塩カメラに採用された場合には、開き作動の終了段階で大きなバウンが生じても露光むらの原因になることがあるし、閉じ作動の終了段階で大きなバウンが生じても露光むらの原因になることがある。そのため、ストッパ１ｆと同様に、ストッパ１ｄ，１ｅも中空形状にすることが好ましい。しかしながら、デジタルスチルカメラに採用された場合には、開き作動の終了段階で大きなバウンが生じて、一時的に撮影光路用開口を覆ってしまうことがあっても、連写撮影を行なう場合でなければ何の影響も及ぼさない。そのため、ストッパ１ｄ，１ｅの場合は、中空形状にしなくてもよい場合がある。
【００２９】
［第２実施例］
次に、図５及び図６を用いて第２実施例の絞り機構を説明する。図５は、絞り羽根が撮影光路用開口から退いている状態、即ち大きい絞り開口を制御している状態を示した平面図であり、図６は、絞り羽根が撮影光路用開口に進入した状態、即ち絞り羽根に形成された開口部によって小さい絞り開口を制御している状態を示した平面図である。
【００３０】
最初に、本実施例の構成を説明する。主地板１１と補助地板１２とは、いずれも合成樹脂製であって、図示していない手段によって相互に取り付けられ、それらの間に羽根室を構成している。また、それらの中央部に形成された開口部１１ａ，１２ａは同じ直径であるが、図５においては、主地板１１の一部を切断して示してある。従って、本実施例の場合には、開口部１１ａ，１２ａが、共に撮影光路用開口を規制していることになる。言い換えれば、開口部１１ａ，１２ａが、共に最大の絞り開口を規制しているということになるが、本実施例の場合には、大小二つの絞り開口だけしか選択できないので、大きい方の絞り開口を規制しているということになる。
【００３１】
主地板１１の被写体側の面には、第１実施例と全く同じ構成のモータが向きを変えて取り付けられているが、図５及び図６では、永久磁石製の回転子１３と、その径方向位置に一体的に設けた出力ピン１４だけが、二点鎖線で示されている。そして、その出力ピン１４は、主地板１１に形成されている円弧状の長孔１１ｂを貫通し、その先端を、長孔１１ｂと同じ形状に形成された補助地板１２の長孔に挿入している。
【００３２】
主地板１１の羽根室側の面には、一体成形で、軸１１ｃと二つのストッパ１１ｄ，１１ｅが形成されている。そして、軸１１ｃには、絞り羽根１５が回転可能に取り付けられている。絞り羽根１５には、上記の開口部１１ａ，１２ａよりも直径が小さい開口部１５ａと、長孔１５ｂとが形成されているが、開口部１５ａは小さい絞り開口を規制するためのものであり、長孔１５ｂには上記の出力ピン１４が嵌合している。また、ストッパ１１ｄ，１１ｅは中空軸となっていて、径方向へ弾力性が付与されており、ストッパ１１ｄの先端は、補助地板１２に形成された切欠き部に挿入され、ストッパ１１ｅの先端は、補助地板１２に形成された孔に挿入されている。
【００３３】
主地板１１に設けられた上記の軸１１ｃは、その先端部が、補助地板１２の孔を貫通して、背面側に突き出ている。また、補助地板１２の背面側の面には、一体成形で、二つの軸１２ｂ，１２ｃが設けられている。そして、軸１１ｃには、ばね１６が巻回されており、その一端を軸１２ｂに掛け、他端を軸１２ｃに掛けている。
【００３４】
次に、本実施例の作動を説明する。図５は撮影前の初期状態を示しており、開口部１１ａ，１２ａによって規制されている撮影光路用開口は全開となっていて、大きい絞り開口の制御状態となっている。それによって、光学ファインダを備えたカメラでも、液晶ファインダを備えたカメラでも、被写体像を好適に観察できるようになっている。また、このとき、モータ（のコイル）には通電されていないが、第１実施例で説明したように、固定子側に磁性体棒が配置されていて、回転子１３には、時計方向へ回転する力が付与されているため、絞り羽根１５は、出力ピン１４によって反時計方向へ回転する力が与えられ、ストッパ１１ｄに対する接触状態を維持している。
【００３５】
撮影に際してレリーズボタンを押すと、先ず、被写体光の測定結果に基づいて、被写体光の光量を減じて撮影するか、減じないで撮影するかが決定されるが、減じないで撮影する場合には、この図５の状態（即ち、大きな絞り開口）で撮影が行なわれる。そこで、被写体光の光量を減じて撮影することになった場合を説明する。その場合には、露光制御回路からの信号によってモータに通電され、回転子１３が反時計方向へ回転させられる。そのため、絞り羽根１５は時計方向へ回転させられ、撮影光路用開口に高速で進入してゆき、出力ピン１４がばね１６に接触してからは、その作動が制動される。絞り羽根の場合には、このようなタイミングで制動を開始しても、シャッタ羽根の場合とは異なり、露出やスミアとは関係がないので、何の問題もない。
【００３６】
その後、絞り羽根１５は、ストッパ１１ｅに当接して停止するが、このとき、ストッパ１１ｅは、中空軸として形成されているので、絞り羽根１５が当接したとき一時的に変形させられてから、自己の弾性によって原形に復帰する。図６は、そのようにして、絞り羽根１５が静止した状態（即ち、小さい絞り開口の制御状態）を示している。
【００３７】
このように、本実施例の場合は、ストッパ１１ｅが緩衝機能を有しているため、大きくバウンドせずに早期に静止する。しかも、ばね１６によって制動作用を及ぼすので、ばね１６を備えていないときよりも早期に静止する。その上、本実施例の場合には、ばね１６による制動開始時期を、第１実施例の場合よりも早くすることができるので、撮影光路用開口に進入し終わった直後に、絞り羽根１５を静止させることが可能になる。従って、これらのことから、レリーズボタンを押してから撮影のための露光が開始されるまでの時間を短くすることができ、動いている被写体を撮影する場合には、シャッタチャンスを逸してしまうことが少なくなるという利点がある。
【００３８】
尚、図６の状態が得られた後、撮影のための露光が終了するまで、モータへの通電を続けていても構わないが、長時間撮影の場合などは、その間、電力が消費されてしまうので、通電を断つことが好ましい。そのように通電を断っても、撮影中、小さい絞り開口の制御状態を維持できる理由は、第１実施例で、シャッタ羽根６，７の閉鎖状態が維持される理由と同じである。
【００３９】
このようにして、撮影のための露光が終了すると、図６の状態において、モータに対し、上記の場合とは逆方向の通電が行なわれる。そのため、回転子１３は時計方向へ回転させられて、絞り羽根１５を反時計方向へ回転させ、撮影光路用開口から退かせていく。そして、絞り羽根１５は、撮影光路用開口を全開にした後、ストッパ１１ｄに当接して停止するが、ストッパ１１ｄが中空形状をしているので、大きくバウンドすることなく早期に静止する。その直後に、モータに対する通電が断たれると、図５の初期状態に復帰したことになる。
【００４０】
尚、本実施例の場合、絞り羽根１５は、撮影光路用開口から退いた直後にストッパ１１ｄに当接するため、図５からも分かるように、開口部１１ａと絞り羽根１５との間隔が非常に小さくなっている。そのため、その分だけ、主地板１１と補助地板１２の外形を小さくすることが可能になっていて、絞り機構全体の小型化が図られている。また、第１実施例の場合も、このような構成にすることが可能である。そして、このような構成にした場合には、本実施例の絞り羽根１５や第１実施例のシャッタ羽根６，７は、作動を開始した直後に撮影光路用開口に進入するので、その分だけ停止するまでの時間を短くすることが可能であり、第１実施例を銀塩カメラに採用した場合には、露光時間を短くすることが可能になり、本実施例の場合には、シャッタチャンスを逸するおそれを少なくすることが可能になる。
【００４１】
また、本実施例においては、絞り羽根１５に、小口径の開口部１５ａを形成しているが、本発明は、開口部１５ａを覆うようにしてＮＤフィルタを取り付けるようにしたフィルタ機構としてもよい。また、本実施例の場合にも第１実施例の場合にも、ムービングマグネット型モータを駆動源としているが、本発明は、ステップモータやばねを駆動源としても差し支えない。
【００４２】
更に、上記の第１実施例においては、２枚一組のシャッタ羽根６，７が採用されているが、本発明は、第２実施例の絞り羽根１５のように作動する１枚のシャッタ羽根としても差し支えない。但し、その場合にも、ばねによって制動したいときには、第１実施例のように、シャッタ羽根が撮影光路用開口を閉鎖した直後に制動されるようにすることが好ましい。また、第１実施例においては、２枚のシャッタ羽根６，７が相対的に回転するように構成されているが、本発明は、２枚のシャッタ羽根が、撮影光路用開口を間にして、相対的に直線作動を行うように構成してもよい。更に、第２実施例においては、１枚の絞り羽根１５が回転するように構成されているが、本発明は、２枚の絞り羽根が、撮影光路用開口を間にして、相対的に直線作動を行うように構成してもよい。
【００４３】
【発明の効果】
以上のように、本発明の羽根駆動機構は、羽根部材の当接するストッパが、弾力性を有する中空軸となっているので、羽根部材が当接したときのバウンドを抑制して、羽根部材を早期に静止させることが可能になる。そのため、羽根部材がシャッタ羽根の場合には、シャッタ速度の高速化が可能となるし、絞り機構やフィルタ機構の羽根部材の場合には、レリーズ後、早期に撮影が行なえるので、動いている被写体の撮影に際し、シャッタチャンスを逸するおそれが少なくなる。更に、本発明によれば、弾力性を有する中空のストッパを、地板と一体成形にて形成するので、コスト上で、極めて有利である。
【図面の簡単な説明】
【図１】シャッタ羽根が撮影光路用開口を全開にしている状態を示した第１実施例の平面図である。
【図２】図１の一部を適宜に断面して示した断面図である。
【図３】シャッタ羽根が撮影光路用開口を閉鎖した直後の作動中の状態を示した第１実施例の平面図である。
【図４】シャッタ羽根が撮影光路用開口を閉鎖した後、ストッパに当接して停止した状態を示した第１実施例の平面図である。
【図５】絞り羽根が撮影光路用開口から退き、大きい絞り開口を制御している状態を示した第２実施例の平面図である。
【図６】絞り羽根が撮影光路用開口に進入し、絞り羽根に形成された開口部によって小さい絞り開口を制御している状態を示した第２実施例の平面図である。
【符号の説明】
１，１１                      主地板
１ａ，２ａ，１１ａ，１２ａ，１５ａ  開口部
１ｂ，１ｃ，２ｂ，２ｃ，２ｄ，１１ｃ，１２ｂ，１２ｃ  軸
１ｄ，１ｅ，１ｆ，１１ｄ，１１ｅ  ストッパ
２，１２                      補助地板
３                            モータ
３ａ                          第１固定子枠
３ｂ                          第２固定子枠
３ｃ                          コイル
３ｄ                          ヨーク
３ｅ                          磁性体棒
３ｆ，１３                    回転子
３ｇ，１４                    出力ピン
４，５                        ビス
６，７                        シャッタ羽根
８，１６                      ばね
１１ｂ，１５ｂ                長孔
１５                          絞り羽根
【図１】
2005024640.tif 000003
【図２】
2005024640.tif 000004
【図３】
2005024640.tif 000005
【図４】
2005024640.tif 000006
【図５】
2005024640.tif 000007
【図６】
2005024640.tif 000008